(57)【要約】【課題】フード部の下方開口部に設置した整流板が、上下方向に昇降自在になるため、清掃時調理にて付着した廃油や結露水が調理機器上に滴下しないで、安全に清掃作業が行えるレンジフードを提供することを目的とする。【解決手段】調理機器Ｃの上方に設置され、調理時に発生する油煙を捕集して排気するレンジフードであって、油煙を排気する送風機ユニット１と、この送風機ユニット１と連通する通風用開口１４を上面に備え、下面に下方開口部１２を備えた略箱状のフード部２と、前記下方開口部１２の開口縁との間に隙間を形成するように設けられた整流板３とからなり、前記整流板３を上下方向に昇降自在としたことにより、安全に清掃作業が行えるレンジフードを提供できる。【選択図】図１
2007232351.tif 000002
【特許請求の範囲】
【請求項１】
調理機器の上方に設置され、調理時に発生する油煙を捕集して排気するレンジフードであって、油煙を排気する送風機ユニットと、この送風機ユニットと連通する通風用開口を上面に備え、下面に下方開口部を備えた略箱状のフード部と、前記下方開口部の開口縁との間に隙間を形成するように設けられた整流板とからなり、前記整流板が、上下方向に昇降自在に設けられたことを特徴とするレンジフード。
【請求項２】
整流板を、フード部の送風機ユニット直下近傍に配設した昇降自在な第１の整流板と、フード部に定された第２の整流板とから構成し、前記第１の整流板が下降時、前記第２の整流板と分離する構成としたことを特徴とする請求項１記載のレンジフード。
【請求項３】
フード部の上方に収納棚を配設し、前記収納棚と整流板を連結し、送風機ユニットと前記フード部は設置固定した状態で、前記収納棚と前記整流板を昇降自在に構成したことを特徴とする請求項第１記載のレンジフード。
【請求項４】
昇降棚と整流板が、電動で昇降することを特徴とする請求項３記載のレンジフード。
【請求項５】
送風機ユニットはフード部より幅が狭く、前記フード部に対して左右どちらかに偏心し、整流板は前記送風機ユニットの通風用開口に合わせて同方向に偏心していることを特徴とする請求項１記載のレンジフード。
【請求項６】
送風機ユニットと連通するフード部の通風用開口と前記整流板との間に調理時に発生する油煙を捕集するフィルターを配設したことを特徴とする請求項１〜５のいずれかに記載のレンジフード。
【発明の詳細な説明】
【技術分野】
【０００１】
本発明は、調理機器の上方に設置され、調理時に発生する油煙を捕集して排気するレンジフードであって、油煙による汚れを下方で清掃できる構成としたレンジフードに関するものである。
【背景技術】
【０００２】
従来、この種のレンジフードとして、フードの開口部を開閉可能に被蓋し、廃ガスの捕獲空間を形成するカバー手段を、ぶら下がり可能に構成したレンジフードが知られている（例えば特許文献１参照）。
【０００３】
以下、そのレンジフードについて図８を参照しながら説明する。
【０００４】
図に示すように、レンジフード１０１は左右側板１０２、後板１０３、天板１０４とで構成される函体の前側開放部を前板１０５で着脱可能に被蓋したフードＡ内に、送風機ユニット１０６を設置し、その送風機ユニット１０６に連通する排気ダクト１０７をフードＡの天板１０４に取付け、更にフードＡ内にフードカバー１０８を設けて構成している。このフードカバー１０８はフードＡの下方開口部Ｄを開閉可能に被蓋しており、前縁部をフードＡの下方開口部Ｄの前縁部に引っ掛け手段１０９で引っ掛けて前後方向に回動可能としており、引っ掛け手段１０９はフードカバー１０８に周設した水平フランジ１１０における前縁側下端部に形成したカール部１１１と、フードＡの下方開口部Ｄの前縁部に該当する前板１０５に形成した立ち上げフランジ１１２とで構成され、その立ち上げフランジ１１２にカール部１１１を引っ掛けてフードカバー１０８を前後方向に回動可能に支承している。また、フードカバー１０８を着脱自在に取付ける着脱手段は、後縁部部分に取付けるネジ１１３であり、このネジ１１３を下方よりはずすことにより、フードカバー１０８は引っ掛け手段１０９を支点として前方方向にスイングして調理台に立つ人の前に位置する構成としている。
【特許文献１】特開平１０−３０６９３４号公報
【発明の開示】
【発明が解決しようとする課題】
【０００５】
このような従来のレンジフードでは、清掃時引っ掛け手段を支点としてフードカバーをぶら下げる構成となっているために、調理にて付着した廃油や結露水が調理機器上に滴下するという課題があった。
【０００６】
また、調理にて付着した廃油や結露水の清掃時、フードカバーがぶら下がった状態でのフードカバーの清掃は困難なためフードカバーを外す必要がある。しかし鋼板性のフードカバーは重量があり、非健常者や高齢者にとっては特にその取外しは厄介で危険な作業になるという課題があった。
【０００７】
また、フードカバーを着脱する時、重量のあるフードカバーを手で支持してネジの着脱を行うため、危険な作業にあるという課題があった。
【０００８】
本発明は、このような従来の課題を解決するものであり、清掃時調理にて付着した廃油や結露水が調理機器上に滴下しないで、安全に清掃作業が行えるレンジフードを提供することを目的としている。
【課題を解決するための手段】
【０００９】
本発明のレンジフードは上記目的を達成するために、調理機器の上方に設置され、調理時に発生する油煙を捕集して排気するレンジフードであって、油煙を排気する送風機ユニットと、この送風機ユニットと連通する通風用開口を上面に備え、下面に下方開口部を備えた略箱状のフード部と、前記下方開口部の開口縁との間に隙間を形成するように設けられた整流板とからなり、前記整流板が、上下方向に昇降自在に設けて構成したものである。
【００１０】
この手段により、清掃時調理にて付着した廃油や結露水が調理機器上に滴下しないレンジフードが得られる。
【００１１】
また、他の手段は、整流板を、フード部の送風機ユニット直下近傍に配設した昇降自在な第１の整流板と、フード部に固定された第２の整流板とから構成し、前記第１の整流板が下降時、前記第２の整流板と分離する構成としたものである。
【００１２】
この手段により、昇降する整流板の軽量化ができ、廃油の多い部分の清掃が容易に出来るレンジフードが得られる。
【００１３】
また、フード部の上方に収納棚を配設し、前記収納棚と整流板を連結し、送風機ユニットと前記フード部は設置固定した状態で、前記収納棚と前記整流板を昇降自在に構成したものである。
【００１４】
この手段により、収納棚が昇降して低い位置で収納物が出し入れ出来るため、収納作業を安全で容易に行えるレンジフードが得られる。
【００１５】
また、昇降棚と整流板が、電動で昇降する構成としたものである。
【００１６】
この手段により、整流板と収納棚の昇降を手元のスイッチ操作のみで出来るレンジフードが得られる。
【００１７】
また、送風機ユニットはフード部より幅が狭く、前記フード部に対して左右どちらかに偏心し、整流板は前記送風機ユニットの通風用開口に合わせて同方向に偏心する構成としたものである。
【００１８】
この手段により、特に汚れが付着し易い送風機ユニットより垂れた廃油を整流板で確実に受けることができるレンジフードが得られる。
【００１９】
また、送風機ユニットと連通するフード部の前記通風用開口と整流板との間に調理時に発生する油煙を捕集するフィルターを配設する構成としたものである。
【００２０】
この手段により、整流板に設置された清掃頻度の高いフィルターが昇降して低い位置で着脱できるため、清掃作業を安全で容易に行えるレンジフードが得られる。
【発明の効果】
【００２１】
本発明によれば、調理機器の上方に設置され、調理時に発生する油煙を捕集して排気するレンジフードであって、油煙を排気する送風機ユニットと、この送風機ユニットと連通する通風用開口を上面に備え、下面に下方開口部を備えた略箱状のフード部と、前記下方開口部の開口縁との間に隙間を形成するように設けられた整流板とからなり、前記整流板が、上下方向に昇降自在に設けて構成したことにより、清掃時調理にて付着した廃油や結露水が調理機器上に滴下しないで、かつ安全に清掃作業が行えるという効果のあるレンジフードを提供できる。
【００２２】
また、整流板を、フード部の送風機ユニット直下近傍に配設した昇降自在な第１の整流板と、フード部に固定された第２の整流板とから構成し、前記第１の整流板が下降時、前記第２の整流板と分離するする構成としたことにより、昇降する整流板の軽量化ができ、廃油の多い部分の清掃が容易に出来るためレンジフード本体を常に清潔な状態に保つことが出来る効果のあるレンジフードを提供できる。
【００２３】
また、フード部の上方に収納棚を配設し、前記収納棚と整流板を連結し、送風機ユニットと前記フード部は設置固定した状態で、前記収納棚と前記整流板を昇降自在に構成したことにより、収納棚が昇降して低い位置で収納物が出し入れ出来るため、収納作業を安全で容易に行えるという効果のあるレンジフードを提供できる。
【００２４】
また、昇降棚と整流板が、電動で昇降する構成としたことにより、整流板と収納棚の昇降を手元のスイッチ操作のみで出来る効果のあるレンジフードを提供できる。
【００２５】
また、送風機ユニットはフード部より幅が狭く、前記フード部に対して左右どちらかに偏心し、整流板は前記送風機ユニットの通風用開口に合わせて同方向に偏心する構成としたことにより、特に汚れが付着し易い送風機ユニット部分より垂れた廃油を整流板で確実に受けることができるという効果のあるレンジフードが得られる。
【００２６】
また、送風機ユニットと連通するフード部の通風用開口と前記整流板との間に調理時に発生する油煙を捕集するフィルターを配設する構成としたことにより、整流板に設置された清掃頻度の高いフィルターが昇降して低い位置で着脱できるため、清掃作業を安全で容易に行えるという効果のあるレンジフードが得られる。
【発明を実施するための最良の形態】
【００２７】
本発明の請求項１記載のレンジフードは、調理機器の上方に設置され、調理時に発生する油煙を捕集して排気するレンジフードであって、油煙を排気する送風機ユニットと、この送風機ユニットと連通する通風用開口を上面に備え、下面に下方開口部を備えた略箱状のフード部と、前記下方開口部の開口縁との間に隙間を形成するように設けられた整流板とからなり、前記整流板が、上下方向に昇降自在な構成としたことにより、汚れが付着し易い整流板の掃除に際して、整流板の内側に付着した廃油や結露水が調理機器上に滴下することなく手元でふき取り作業などが行え、高い位置での清掃作業を回避でき非健常者や高齢者においても安全且つ簡単に清掃が行える。しかも、整流板を下降した状態を利用して上方に位置するフードの清掃もできるという作用を有する。
【００２８】
また、請求項２記載のレンジフードは、整流板を、フード部の送風機ユニット直下近傍に配設した昇降自在な第１の整流板と、フード部に固定された第２の整流板とから構成し、前記第１の整流板が下降時、前記第２の整流板と分離する構成としたことにより、特に汚れが付着し易い送風機部分より垂れた廃油を受ける第１の整流板のみを昇降できるため、昇降する整流板の軽量化ができ、廃油の多い部分の清掃が容易に出来るためレンジフード本体を常に清潔な状態に保つことが出来るという作用を有する。
【００２９】
また、請求項３記載のレンジフードは、フード部の上方に収納棚を配設し、前記収納棚と整流板を連結し、送風機ユニットと前記フード部は設置固定した状態で、前記収納棚と前記整流板を昇降自在に構成したことことにより、収納棚が昇降して低い位置で収納物が出し入れ出来るため、収納作業を高い位置での清掃作業を回避でき非健常者や高齢者においても安全且つ簡単に清掃が行えるという作用を有する。
【００３０】
また、請求項４記載のレンジフードは、昇降棚と整流板が、電動で昇降することにより、整流板と収納棚の昇降を手元のスイッチ操作のみで楽に簡単に出来るという作用を有する。
【００３１】
また、請求項５記載のレンジフードは、送風機ユニットはフード部より幅が狭く、前記フード部に対して左右どちらかに偏心し、整流板は前記送風機ユニットの通風用開口に合わせて同方向に偏心する構成としたことにより、特に汚れが付着し易い送風機ユニット部分より垂れた廃油を整流板で確実に受けることができるという作用を有する。
【００３２】
また、送風機ユニットと連通するフード部の通風用開口と前記整流板との間に調理時に発生する油煙を捕集するフィルターを配設する構成としたことにより、整流板に設置された清掃頻度の高いフィルターが昇降して低い位置で着脱できるため、高い位置での清掃作業を回避でき非健常者や高齢者においても安全且つ簡単に清掃が行えるという作用を有する。
【００３３】
以下、本発明の実施の形態について図面を参照しながら説明する。
【００３４】
（実施の形態１）
図１に示すように、本発明のレンジフードは、調理機器Ｃの上方に設置してあり、調理機器Ｃを沿わせた壁面Ｂに沿わせて設置する送風機ユニット１と、この送風機ユニット１の下方に位置する略箱状のフード部２と、フード部２の下方開口部１２内に上下昇降自在に設置された後述する整流板３とで構成している。前記送風機ユニット１は略筒状の鋼板性の箱体であり、内部にモーター４によって回転するファン５を備えファン５前方にはオリフィス６を備えており、天面７には室外と連通するダクト８と接続可能なアダプター９を設置し、下方には、前記フード部２に連通する開口端面にフランジ１０を形成して構成し、天面７に固定されたＬ字状の固定金具１１によって壁面Ｂにネジ止め固定される。フード部２は前記した下方開口部１２を備えた略箱状の鋼板性の箱体に形成されており、その天板１３には送風機ユニット１の開口に連通する通風用開口１４を有し、送風機ユニット１のフランジ１０に連結固定されており、フード部２の下方開口部１２の内部には天板１３と平行に略板状で外周端面を折り曲げ形成し、フード部２の下方開口部１２より小さく、下方開口部１２の開口縁との間に隙間を形成した整流板３を有している。前記整流板３は、天板１３の下面の前方と後方に位置して固定された駆動モーター１５に直結したプーリー１６から垂直方向に延びるワイヤー１７の下端に止着して構成されている。
【００３５】
上記構成において整流板３は、ワイヤー１７を巻き取るプーリー１６を駆動モーター１５にて自動で回転させ垂直方向に平行にスライド昇降することとなる。
【００３６】
このように本発明の実施の形態１のレンジフードによれば、調理機器Ｃの上方に設置され、調理時に発生する油煙を捕集して排気するレンジフードにおいて、送風機ユニット１と連通する通風用開口１４を備えた略箱状のフード部２の下方開口部１２に設置した整流板３が、ワイヤー１７で上下方向に昇降可能に構成されることにより、汚れが付着し易い整流板３の掃除に際して、整流板の内側に付着した廃油や結露水が調理機器上に滴下することなく手元でふき取り作業などが行え、高い位置での清掃作業を回避でき非健常者や高齢者においても安全かつ簡単に清掃ができる。
【００３７】
また、整流板３を下降した状態を利用して上方に位置するフード部２の清掃もできる。
【００３８】
（実施の形態２）
図２および図３において実施の形態１と異なるところは、フード部２の下方開口部１２内部の前方には天板１３と平行に略板状で外周端面を折り曲げ形成し、折り曲げ前面立ち上げ部１９と後面立ち上げ部２０にＬ字金具２１を有する第２の整流板である整流板１８Ｂが、天板１３に形成された段落ち金具２２によって係止して天板１３と平行に設置され、フード部２の下方開口部１２内部の送風機ユニット１の直下近傍に位置する後方には下面視で整流板１８Ｂの後面から一定の距離を覆うようにワイヤー１７の下端に止着された昇降自在な第１の整流板である整流板１８Ａが設置され構成した点である。図２および図３において図１と同じ構成要素については同じ符号を用い説明を省略する。
【００３９】
上記構成において、整流板１８Ａと整流板１８Ｂが分離することとなり、廃油の蓄積し易い送風機ユニット１の直下近傍に位置する整流板１８Ａのみ昇降可能となる。
【００４０】
このように本発明の実施の形態２のレンジフードによれば、整流板をフード部２の下方開口部１２に配設した昇降自在な前記整流板１８Ａと固定された整流板１８Ｂを有し、整流板１８Ａが下降時、整流板１８Ｂと分離することにより、特に汚れが付着し易い送風機ユニット１部分より垂れた廃油を受ける整流板１８Ａのみを昇降できるため、昇降部の軽量化ができ、廃油の多い部分の清掃が容易に出来るためレンジフード本体を常に清潔な状態に保つことができる。
【００４１】
（実施の形態３）
図４において実施の形態１と異なるところは、送風機ユニット１に隣接するフード部２の上面に配置した収納棚２３を有する吊戸棚２４が壁面Ｂにネジ止めして設置されており、前記収納棚２３は吊戸棚２４に内設され、フード部２には収納棚２３の平面積より大となる開口部に設けた略同平面積のパネル２５と収納棚２３とは、フード部２のパネル２５と収納棚２３との間に位置するコの字形状のコの字金具２６に連結接続して構成され、更にフード部２の下方開口部１２内部に位置するワイヤー１７の下端に止着された昇降自在な整流板３とパネル２５は複数個の棒状金具２７で連結接続して構成した点である。
【００４２】
図４おいて図１と同じ構成要素については同じ符号を用い説明を省略する。
【００４３】
上記構成において、整流板３と連結接続した収納棚２３が一体となって自動で昇降可能となる。
【００４４】
このように本発明の実施の形態３のレンジフードによれば、フード部２の上方に収納棚２３を配設し、前記収納棚２３と前記フード部２の下方開口部１２に整流板３を連結し、送風機ユニット１とフード部２は固定した状態で、収納棚２３と整流板３を昇降自在にすることにより、収納棚が昇降して低い位置で収納物が出し入れ出来るため、収納作業を高い位置での清掃作業を回避でき非健常者や高齢者においても安全且つ簡単に清掃ができる。
【００４５】
（実施の形態４）
図５において、実施の形態１と異なるところは、送風機ユニット１を、壁面Ｂに沿わせた調理機器Ｃの上方に配置し、調理立ち位置である正面の横幅の左側に寄せて偏心する位置に設置することと、その送風機ユニット１の下方に位置する略箱状のフード部２の下部開口内に、上下昇降自在に移動する整流板３を設置し、その整流板３も、送風機ユニット１の通風用開口１４を覆うようにして、調理立ち位置である正面の横幅の左側に寄せて偏心する、すなわち、フード部２と整流板３との左右の吸い込み口の横幅を右側に対して左側を狭くした位置に設置して構成した点であり、その他、同じ構成要素については同じ符号を用い説明を省略する。
【００４６】
上記構成において、送風機ユニット１から垂れた廃油は、通風用開口１４を通って整流板３で受け止められるとともに、調理時に発生する油煙は、送風機ユニット１の吸い込みが近い左側を狭くして吸い込み風量を押さえ、吸い込みが遠い右側を広くして吸い込み風量を多くし、同じ風量で左右から吸い込むように風量調整をする。
【００４７】
このように、本発明の実施の形態４のレンジフードによれば、送風機ユニット１から垂れる廃油を確実に整流板３で受け止めることができるとともに、送風機ユニット１の位置により油煙の捕集効率が左右されることなく、効率よく油煙を捕集することができる。
【００４８】
なお、整流板３を左に寄せて偏心すると記載したが、送風ユニット１が右側にある場合は、整流板３を右側に寄せて偏心するようにする。
【００４９】
（実施の形態５）
図６および図７において実施の形態１と異なるところは、整流板３の送風機ユニット１の通風用開口１４に平面直下する位置に、側面に複数個の開口２８を有し側面の少なくとも１辺にフランジ２９を有した略箱状のフィルター枠３０を形成し、開口２８を介して油煙を捕集するフィルター３１をフィルター枠３０に内設する構成としている。
【００５０】
上記構成において、送風機ユニット１と連通する前記フード部２の前記通風用開口１４と整流板３との間に調理時に発生する油煙を捕集するフィルター３１を配設することで、フィルター３１を介して排気が行われることとなる。
【００５１】
前記送風機ユニット１と連通する前記フード部２の前記通風用開口１４と前記整流板３との間に調理時に発生する油煙を捕集するフィルター３１を配設する構成としたことにより、整流板３に設置された清掃頻度の高いフィルター３１が整流板３とともに昇降して低い位置で着脱できるため、高い位置での清掃作業を回避でき非健常者や高齢者においても安全且つ簡単に清掃が行える。
【産業上の利用可能性】
【００５２】
本発明のレンジフードは、頻繁にお手入れが必要なレンジフードの整流板が上下方向に昇降することでお手入れが容易にできるものであり、高所に取付けられ下方で汚れを清掃するレンジフードとして有効である。
【図面の簡単な説明】
【００５３】
【図１】本発明の実施の形態１のレンジフードの断面図
【図２】本発明の実施の形態２のレンジフードの断面図
【図３】図２のＸ部の詳細図
【図４】本発明の実施の形態３のレンジフードの正面図
【図５】本発明の実施の形態４のレンジフードの断面図
【図６】本発明の実施の形態５のレンジフードの断面図
【図７】同レンジフードの斜視図
【図８】従来のレンジフードの断面図
【符号の説明】
【００５４】
１      送風機ユニット
２      フード部
３      整流板
１２    下方開口部
１４    通風用開口
１８Ａ  整流板
１８Ｂ  整流板
２３    収納棚
３１    フィルター
【図１】
2007232351.tif 000003
【図２】
2007232351.tif 000004
【図３】
2007232351.tif 000005
【図４】
2007232351.tif 000006
【図５】
2007232351.tif 000007
【図６】
2007232351.tif 000008
【図７】
2007232351.tif 000009
【図８】
2007232351.tif 000010